(57)【要約】      （修正有）【課題】バックライトの輝度調整に伴う色温度変化に対して色成分の調整を容易にする。【解決手段】映像データを映像として表示するＬＣＤ13とＬＣＤの白色光源であるＬＣＤバックライト14とを有する携帯端末のＬＣＤ表示画面色調整システムに、Ｒ成分、Ｇ成分、Ｂ成分を有する映像データを受信しＬＣＤに送信するグラフィックＬＳＩ12と、グラフィックＬＳＩにより送信される映像データのＲ成分、Ｇ成分、Ｂ成分のうち、少なくとも１つの成分の増減を行う映像色成分増減部12Aと、Ｒ光源、Ｇ光源、Ｂ光源からなり、同時に発光させて白色光を発色するＬＣＤバックライトの輝度を調整する輝度調整部14Aと、映像色成分増減部による増減後に輝度調整部による輝度の調整を行い、ＬＣＤバックライトの輝度調整の前後で色温度が変化する場合にＬＣＤバックライトのＲ光源、Ｇ光源、Ｂ光源のうち、少なくとも１つの色成分の増減を行う発光色成分増減部14Bとを備える。【選択図】図１
2005115021.tif 000002
【特許請求の範囲】
【請求項１】
映像データを映像として表示するＬＣＤと前記ＬＣＤの白色光源であるＬＣＤバックライトとを有する携帯端末のＬＣＤ表示画面色調整システムにおいて、
Ｒ成分、Ｇ成分、Ｂ成分を有する映像データを受信し前記ＬＣＤに送信するグラフィックＬＳＩと、
前記グラフィックＬＳＩにより送信される映像データのＲ成分、Ｇ成分、Ｂ成分のうち、少なくとも１つの成分の増減を行う映像色成分増減部と、
Ｒ光源、Ｇ光源、Ｂ光源からなり、同時に発光させて白色光を発色する前記ＬＣＤバックライトの輝度を調整する輝度調整部と、
前記映像色成分増減部による増減後に前記輝度調整部による輝度の調整を行い、前記ＬＣＤバックライトの輝度調整の前後で色温度が変化する場合に前記ＬＣＤバックライトのＲ光源、Ｇ光源、Ｂ光源のうち、少なくとも１つの色成分の増減を行う発光色成分増減部とを備えることを特徴とする携帯端末のＬＣＤ表示画面色調整システム。
【請求項２】
前記映像色成分増減部による映像データのＲ成分、Ｇ成分、Ｂ成分を増減する調整では、前記グラフィックＬＳＩに受信される映像データのＲ成分、Ｇ成分、Ｂ成分に対して前記グラフィックＬＳＩから送信される映像データのＲ成分、Ｇ成分、Ｂ成分を増減する調整を行い、増減した映像データのＲ成分、Ｇ成分、Ｂ成分の比率で、調整後に前記映像色成分増減部に受信される映像データのＲ成分、Ｇ成分、Ｂ成分の増減を行うことを特徴とする、請求項１に記載の携帯端末のＬＣＤ表示画面色調整システム。
【請求項３】
前記ＬＣＤに複数の画面が表示され、画面毎に表示される色が違う場合には、前記映像色成分増減部は画面毎に前記グラフィックＬＳＩにより送信される映像データのＲ成分、Ｇ成分、Ｂ成分のうち、少なくとも１つの成分の増減を行い、画面の違いを無くした後に、前記輝度調整部による輝度の調整を行い、前記ＬＣＤバックライトの輝度調整の前後で色温度が変化する場合に前記ＬＣＤバックライトのＲ光源、Ｇ光源、Ｂ光源のうち、少なくとも１つの色成分の増減を行うことを特徴とする、請求項１に記載の携帯端末のＬＣＤ表示画面色調整システム。
【請求項４】
前記グラフィックＬＳＩに映像を取り込むカメラモジュールが接続され、前記グラフィックＬＳＩに受信した映像データと前記カメラモジュールから取り込んだ映像データに対して前記映像色成分増減部はそれぞれ色のＲ成分、Ｇ成分、Ｂ成分を増減し、Ｒ成分、Ｇ成分、Ｂ成分を増減した映像データを合成し、合成した映像データに対して、前記輝度調整部による輝度の調整を行い、前記ＬＣＤバックライトの輝度調整の前後で色温度が変化する場合に前記ＬＣＤバックライトのＲ光源、Ｇ光源、Ｂ光源のうち、少なくとも１つの色成分の増減を行うことを特徴とする、請求項１に記載の携帯端末のＬＣＤ表示画面色調整システム。
【請求項５】
前記ＬＣＤバックライトがＲ光源、Ｇ光源、Ｂ光源を間欠発光させる場合、前記輝度調整部が前記ＬＣＤバックライトの輝度を調整する場合にはＲ光源、Ｇ光源、Ｂ光源の発光時間を同時に調整し、前記発光色成分増減部はＲ光源、Ｇ光源、Ｂ光源の発光時間を個別に増減することを特徴とする、請求項１、３又は４のいずれか１の請求項に記載の携帯端末のＬＣＤ表示画面色調整システム。
【請求項６】
前記ＬＣＤバックライトのＲ光源、Ｇ光源、Ｂ光源の各々を発光ダイオードで構成し、前記輝度調整部、前記発光色成分増減部は間欠発光する前記発光ダイオードの発光時間の同時調整、個別増減をそれぞれ行うことを特徴とする、請求項５に記載の携帯端末のＬＣＤ表示画面色調整システム。
【請求項７】
映像データを映像として表示するＬＣＤと前記ＬＣＤの白色光源であるＬＣＤバックライトとを有する携帯端末のＬＣＤ表示画面色調整システムにおいて、
Ｒ成分、Ｇ成分、Ｂ成分を有する映像データを受信し前記ＬＣＤに送信するグラフィックＬＳＩと、
前記グラフィックＬＳＩに受信される映像データのＲ成分、Ｇ成分、Ｂ成分に対して前記グラフィックＬＳＩから送信される映像データのＲ成分、Ｇ成分、Ｂ成分のうち、少なくとも１つの成分を増減する調整を行い、増減した映像データのＲ成分、Ｇ成分、Ｂ成分の比率で、調整後に前記グラフィックＬＳＩに受信される映像データのＲ成分、Ｇ成分、Ｂ成分の増減を行う映像色成分増減部と、
Ｒ光源、Ｇ光源、Ｂ光源からなり、同時に発光させて白色光を発色する前記ＬＣＤバックライトがＲ光源、Ｇ光源、Ｂ光源を間欠発光させる場合、Ｒ光源、Ｇ光源、Ｂ光源の発光時間を同時に調整し前記ＬＣＤバックライトの輝度を調整する輝度調整部と、
前記映像色成分増減部による増減後に前記輝度調整部による輝度の調整を行い、前記ＬＣＤバックライトの輝度調整の前後で色温度が変化する場合に前記ＬＣＤバックライトのＲ光源、Ｇ光源、Ｂ光源のうち、少なくとも１つの光源について発光時間を個別に増減し、色成分の増減を行う発光色成分増減部とを備えることを特徴とする携帯端末のＬＣＤ表示画面色調整システム。
【請求項８】
映像データを映像として表示するＬＣＤと前記ＬＣＤの白色光源であるＬＣＤバックライトとを有する携帯端末のＬＣＤ表示画面色調整システムにおいて、
Ｒ成分、Ｇ成分、Ｂ成分を有する映像データを受信し前記ＬＣＤに送信するグラフィックＬＳＩと、
前記ＬＣＤに複数の画面が表示され、画面毎に表示される色が違う場合には、前記グラフィックＬＳＩに受信される映像データのＲ成分、Ｇ成分、Ｂ成分に対して画面毎に前記グラフィックＬＳＩにより送信される映像データのＲ成分、Ｇ成分、Ｂ成分のうち、少なくとも１つの成分の増減を行い、増減した映像データのＲ成分、Ｇ成分、Ｂ成分の比率で、調整後に前記グラフィックＬＳＩに受信される映像データのＲ成分、Ｇ成分、Ｂ成分の増減を行う映像色成分増減部と、
Ｒ光源、Ｇ光源、Ｂ光源からなり、同時に発光させて白色光を発色する前記ＬＣＤバックライトがＲ光源、Ｇ光源、Ｂ光源を間欠発光させる場合、複数の画面について映像データのＲ成分、Ｇ成分、Ｂ成分の違いを無くした後にＲ光源、Ｇ光源、Ｂ光源の発光時間を同時に調整し前記ＬＣＤバックライトの輝度を調整する輝度調整部と、
前記映像色成分増減部による増減後に前記輝度調整部による輝度の調整を行い、前記ＬＣＤバックライトの輝度調整の前後で色温度が変化する場合に前記ＬＣＤバックライトのＲ光源、Ｇ光源、Ｂ光源のうち、少なくとも１つの光源について発光時間を個別に増減し色成分の増減を行う発光色成分増減部とを備えることを特徴とする携帯端末のＬＣＤ表示画面色調整システム。
【請求項９】
映像データを映像として表示するＬＣＤと前記ＬＣＤの白色光源であるＬＣＤバックライトとを有する携帯端末のＬＣＤ表示画面色調整システムにおいて、
Ｒ成分、Ｇ成分、Ｂ成分を有する映像データを受信し前記ＬＣＤに送信するグラフィックＬＳＩと、
前記携帯端末に搭載され、Ｒ成分、Ｇ成分、Ｂ成分を有する映像データを取り込み、取り込んだ映像データと前記グラフィックＬＳＩに受信した映像データと合成させるためのカメラモジュールと、
前記グラフィックＬＳＩで合成される映像データ毎にＲ成分、Ｇ成分、Ｂ成分に対して前記グラフィックＬＳＩから送信される映像データのＲ成分、Ｇ成分、Ｂ成分のうち、少なくとも１つの成分を増減する調整を行い、増減した映像データのＲ成分、Ｇ成分、Ｂ成分の比率で、調整後に前記映像色成分増減部に受信される映像データのＲ成分、Ｇ成分、Ｂ成分の増減を行う映像色成分増減部と、
Ｒ光源、Ｇ光源、Ｂ光源からなり、同時に発光させて白色光を発色する前記ＬＣＤバックライトがＲ光源、Ｇ光源、Ｂ光源を間欠発光させる場合、Ｒ光源、Ｇ光源、Ｂ光源の発光時間を同時に調整し前記ＬＣＤバックライトの輝度を調整する輝度調整部と、
前記映像色成分増減部による増減後に前記輝度調整部による輝度の調整を行い、前記ＬＣＤバックライトの輝度調整の前後で色温度が変化する場合に前記ＬＣＤバックライトのＲ光源、Ｇ光源、Ｂ光源のうち、少なくとも１つの光源について発光時間を個別に増減し色成分の増減を行う発光色成分増減部とを備えることを特徴とする携帯端末のＬＣＤ表示画面色調整システム。
【請求項１０】
映像データを映像として表示するＬＣＤと前記ＬＣＤの白色光源であるＬＣＤバックライトとを有する携帯端末のＬＣＤ表示画面色調整方法において、
Ｒ成分、Ｇ成分、Ｂ成分を有する映像データを受信し前記ＬＣＤに送信する工程と、
受信される映像データのＲ成分、Ｇ成分、Ｂ成分に対して送信される映像データのＲ成分、Ｇ成分、Ｂ成分のうち、少なくとも１つの成分を増減する調整を行う工程と、
増減した映像データのＲ成分、Ｇ成分、Ｂ成分の比率で、調整後に受信される映像データのＲ成分、Ｇ成分、Ｂ成分の増減を行う工程と、
前記映像データのＲ成分、Ｇ成分、Ｂ成分の増減後にＲ光源、Ｇ光源、Ｂ光源からなり、同時に発光させて白色光を発色する前記ＬＣＤバックライトがＲ光源、Ｇ光源、Ｂ光源を間欠発光し、Ｒ光源、Ｇ光源、Ｂ光源の発光時間を同時に調整し前記ＬＣＤバックライトの輝度を調整する工程と、
前記ＬＣＤバックライトの輝度の調整を行い、前記ＬＣＤバックライトの輝度調整の前後で色温度が変化する場合に前記ＬＣＤバックライトのＲ光源、Ｇ光源、Ｂ光源のうち、少なくとも１つの光源について発光時間を個別に増減し色成分の増減を行う工程とを備えることを特徴とする携帯端末のＬＣＤ表示画面色調整方法。
【発明の詳細な説明】
【技術分野】
【０００１】
本発明は携帯端末のＬＣＤ（Ｌｉｑｕｉｄ  Ｃｒｙｓｔａｌ  Ｄｉｓｐｌａｙ）に関する。特に、本発明は、携帯端末のＬＣＤ表示画面色調整システム及び方法に関する。
【背景技術】
【０００２】
また、従来の携帯電話機ではバックライトの色をユーザーが見やすい好みの色に設定するために、制御手段に内蔵されパルス幅を変更する複数のパルス幅変調回路と、複数のパルス幅変調回路から出力されたパルスが入力される複数のＬＥＤ駆動用トランジスタと、複数のＬＥＤ駆動用トランジスタの出力で駆動されて、発光する複数の発光ダイオードとを具備し、ユーザーの好みに合った自由なバックライト色を選択することができるようにしている（例えば、特許文献１参照）。
【０００３】
従来の画像表示装置では、入力した映像信号の指定した部分の色、ガンマカーブを希望する色、ガンマカーブにディスプレイに設定されたデフォルト値を調整することが容易に可能となるように、有線または無線で外部接続された外部接続のポインティングデバイスと表示すべき画像の１フレーム分を記憶する画像記憶手段と画像記憶手段から読み出した画像を表示中にポインティングデバイスで操作者が指定した特定画面部分の色合いを画面上で確認しながら希望色に調整するための色調整手段と表示画面の明るさを表示中の画像を見ながら希望する輝度レベルにガンマカーブを調整するための輝度調整手段とを含む表示手段と、色調整手段および輝度調整手段を制御するＣＰＵとを備えている（例えば、特許文献２参照）。
【０００４】
【特許文献１】特開平１１−２６６２９５号公報
【特許文献２】特開２００３−１２２３３６号公報
【発明の開示】
【発明が解決しようとする課題】
【０００５】
ところで、近年の透過型ＬＣＤを有する携帯端末では、従来技術の上記特許文献１に記載されるように簡単な透過型ＬＣＤを有する携帯電話機と比較して、益々高解像度、高色数のＬＣＤ表示になっており、さらに、携帯端末にカメラが搭載され、カメラの映像がＬＣＤ表示されるようになってきた。
さらに、近年の携帯端末では、インターネット経由で、ＬＣＤ表示された商品を基に商品の購入が行われるようになってきた。
【０００６】
また、従来技術の上記特許文献２に記載されるように、映像情報を、輝度調整手段を介して、色調整手段に与え表示させているが、近年の透過型ＬＣＤを有する携帯端末では、明るい所で使用されたりすると、携帯端末のＬＣＤが外光の反射の影響を受けるので、画面を見やすくするために、ＬＣＤバックライトの発光強度を強くし、暗い所で使用する場合に消費電力を節減するために、ＬＣＤバックライトの発光強度を弱くしたりし、換言すれば、使用環境の明暗に応じて、ＬＣＤバックライトの輝度の調整を行っている。
【０００７】
このように、色調整後にＬＣＤバックライトの輝度を調整した前後で、ＬＣＤバックライトの色温度が変化し、これに伴ってＲ（赤色）成分、Ｇ（緑色）成分、Ｂ（青色）成分の強度のバランスがくずれ、折角調整した希望色が変化するという問題がある。
このような場合、ＬＣＤバックライトの色温度変化に伴ってユーザーの希望色に合わなかったり、携帯端末のカメラを介したＬＣＤの表示色と実際の色とが微妙に違うことが生じることがある。
【０００８】
さらに、インターネット経由で商品を購入する場合、携帯端末のＬＣＤに表示された商品の色と実際の商品の色が相違していれば、商品の到着後にトラブルが発生することがある。
したがって、本発明は上記問題点に鑑みて、ＬＣＤバックライトの輝度調整に伴う色温度変化に対して、Ｒ成分、Ｇ成分、Ｂ成分を容易に調整することを可能にする携帯端末のＬＣＤ表示画面色調整システム及び方法を提供することを目的とする。
【課題を解決するための手段】
【０００９】
本発明は前記問題点を解決するために、映像データを映像として表示するＬＣＤと前記ＬＣＤの白色光源であるＬＣＤバックライトとを有する携帯端末のＬＣＤ表示画面色調整システムにおいて、Ｒ成分、Ｇ成分、Ｂ成分を有する映像データを受信し前記ＬＣＤに送信するグラフィックＬＳＩと、前記グラフィックＬＳＩにより送信される映像データのＲ成分、Ｇ成分、Ｂ成分のうち、少なくとも１つの成分の増減を行う映像色成分増減部と、Ｒ光源、Ｇ光源、Ｂ光源からなり、同時に発光させて白色光を発色する前記ＬＣＤバックライトの輝度を調整する輝度調整部と、前記映像色成分増減部による増減後に前記輝度調整部による輝度の調整を行い、前記ＬＣＤバックライトの輝度調整の前後で色温度が変化する場合に前記ＬＣＤバックライトのＲ光源、Ｇ光源、Ｂ光源のうち、少なくとも１つの色成分の増減を行う発光色成分増減部とを備えることを特徴とする携帯端末のＬＣＤ表示画面色調整システムを提供する。
【００１０】
さらに、前記映像色成分増減部による映像データのＲ成分、Ｇ成分、Ｂ成分を増減する調整では、前記グラフィックＬＳＩに受信される映像データのＲ成分、Ｇ成分、Ｂ成分に対して前記グラフィックＬＳＩから送信される映像データのＲ成分、Ｇ成分、Ｂ成分を増減する調整を行い、増減した映像データのＲ成分、Ｇ成分、Ｂ成分の比率で、調整後に前記映像色成分増減部に受信される映像データのＲ成分、Ｇ成分、Ｂ成分の増減を行う。
【００１１】
さらに、前記ＬＣＤに複数の画面が表示され、画面毎に表示される色が違う場合には、前記映像色成分増減部は画面毎に前記グラフィックＬＳＩにより送信される映像データのＲ成分、Ｇ成分、Ｂ成分のうち、少なくとも１つの成分の増減を行い、画面の違いを無くした後に、前記輝度調整部による輝度の調整を行い、前記ＬＣＤバックライトの輝度調整の前後で色温度が変化する場合に前記ＬＣＤバックライトのＲ光源、Ｇ光源、Ｂ光源のうち、少なくとも１つの色成分の増減を行う。
【００１２】
さらに、前記グラフィックＬＳＩに映像を取り込むカメラモジュールが接続され、前記グラフィックＬＳＩに受信した映像データと前記カメラモジュールから取り込んだ映像データに対して前記映像色成分増減部はそれぞれ色のＲ成分、Ｇ成分、Ｂ成分を増減し、Ｒ成分、Ｇ成分、Ｂ成分を増減した映像データを合成し、合成した映像データに対して、前記輝度調整部による輝度の調整を行い、前記ＬＣＤバックライトの輝度調整の前後で色温度が変化する場合に前記ＬＣＤバックライトのＲ光源、Ｇ光源、Ｂ光源のうち、少なくとも１つの色成分の増減を行う。
【００１３】
さらに、前記ＬＣＤバックライトがＲ光源、Ｇ光源、Ｂ光源を間欠発光させる場合、前記輝度調整部が前記ＬＣＤバックライトの輝度を調整する場合にはＲ光源、Ｇ光源、Ｂ光源の発光時間を同時に調整し、前記発光色成分増減部は増減すべきＲ光源、Ｇ光源、Ｂ光源の発光時間を個別に増減する。
さらに、前記ＬＣＤバックライトのＲ光源、Ｇ光源、Ｂ光源の各々を発光ダイオードで構成し、前記輝度調整部、前記発光色成分増減部は間欠発光する前記発光ダイオードの発光時間の同時調整、個別増減をそれぞれ行う。
【００１４】
さらに、本発明は、映像データを映像として表示するＬＣＤと前記ＬＣＤの白色光源であるＬＣＤバックライトとを有する携帯端末のＬＣＤ表示画面色調整システムにおいて、Ｒ成分、Ｇ成分、Ｂ成分を有する映像データを受信し前記ＬＣＤに送信するグラフィックＬＳＩと、前記グラフィックＬＳＩに受信される映像データのＲ成分、Ｇ成分、Ｂ成分に対して前記グラフィックＬＳＩから送信される映像データのＲ成分、Ｇ成分、Ｂ成分のうち、少なくとも１つの成分を増減する調整を行い、増減した映像データのＲ成分、Ｇ成分、Ｂ成分の比率で、調整後に前記グラフィックＬＳＩに受信される映像データのＲ成分、Ｇ成分、Ｂ成分の増減を行う映像色成分増減部と、Ｒ光源、Ｇ光源、Ｂ光源からなり、同時に発光させて白色光を発色する前記ＬＣＤバックライトがＲ光源、Ｇ光源、Ｂ光源を間欠発光させる場合、Ｒ光源、Ｇ光源、Ｂ光源の発光時間を同時に調整し前記ＬＣＤバックライトの輝度を調整する輝度調整部と、前記映像色成分増減部による増減後に前記輝度調整部による輝度の調整を行い、前記ＬＣＤバックライトの輝度調整の前後で色温度が変化する場合に前記ＬＣＤバックライトのＲ光源、Ｇ光源、Ｂ光源のうち、少なくとも１つの光源について発光時間を個別に増減し色成分の増減を行う発光色成分増減部とを備えることを特徴とする携帯端末のＬＣＤ表示画面色調整システムを提供する。
【００１５】
さらに、本発明は、映像データを映像として表示するＬＣＤと前記ＬＣＤの白色光源であるＬＣＤバックライトとを有する携帯端末のＬＣＤ表示画面色調整システムにおいて、Ｒ成分、Ｇ成分、Ｂ成分を有する映像データを受信し前記ＬＣＤに送信するグラフィックＬＳＩと、前記ＬＣＤに複数の画面が表示され、画面毎に表示される色が違う場合には、前記グラフィックＬＳＩに受信される映像データのＲ成分、Ｇ成分、Ｂ成分に対して画面毎に前記グラフィックＬＳＩにより送信される映像データのＲ成分、Ｇ成分、Ｂ成分のうち、少なくとも１つの成分の増減を行い、増減した映像データのＲ成分、Ｇ成分、Ｂ成分の比率で、調整後に前記グラフィックＬＳＩに受信される映像データのＲ成分、Ｇ成分、Ｂ成分の増減を行う映像色成分増減部と、Ｒ光源、Ｇ光源、Ｂ光源からなり、同時に発光させて白色光を発色する前記ＬＣＤバックライトがＲ光源、Ｇ光源、Ｂ光源を間欠発光させる場合、複数の画面について映像データのＲ成分、Ｇ成分、Ｂ成分の違いを無くした後にＲ光源、Ｇ光源、Ｂ光源の発光時間を同時に調整し前記ＬＣＤバックライトの輝度を調整する輝度調整部と、前記映像色成分増減部による増減後に前記輝度調整部による輝度の調整を行い、前記ＬＣＤバックライトの輝度調整の前後で色温度が変化する場合に前記ＬＣＤバックライトのＲ光源、Ｇ光源、Ｂ光源のうち、少なくとも１つの光源について発光時間を個別に増減し色成分の増減を行う発光色成分増減部とを備えることを特徴とする携帯端末のＬＣＤ表示画面色調整システムを提供する。
【００１６】
さらに、本発明は、映像データを映像として表示するＬＣＤと前記ＬＣＤの白色光源であるＬＣＤバックライトとを有する携帯端末のＬＣＤ表示画面色調整システムにおいて、Ｒ成分、Ｇ成分、Ｂ成分を有する映像データを受信し前記ＬＣＤに送信するグラフィックＬＳＩと、前記携帯端末に搭載され、Ｒ成分、Ｇ成分、Ｂ成分を有する映像データを取り込み、取り込んだ映像データと前記グラフィックＬＳＩに受信した映像データと合成させるためのカメラモジュールと、前記グラフィックＬＳＩで合成される映像データ毎にＲ成分、Ｇ成分、Ｂ成分に対して前記グラフィックＬＳＩから送信される映像データのＲ成分、Ｇ成分、Ｂ成分のうち、少なくとも１つの成分を増減する調整を行い、増減した映像データのＲ成分、Ｇ成分、Ｂ成分の比率で、調整後に前記映像色成分増減部に受信される映像データのＲ成分、Ｇ成分、Ｂ成分の増減を行う映像色成分増減部と、Ｒ光源、Ｇ光源、Ｂ光源からなり、同時に発光させて白色光を発色する前記ＬＣＤバックライトがＲ光源、Ｇ光源、Ｂ光源を間欠発光させる場合、Ｒ光源、Ｇ光源、Ｂ光源の発光時間を同時に調整し前記ＬＣＤバックライトの輝度を調整する輝度調整部と、前記映像色成分増減部による増減後に前記輝度調整部による輝度の調整を行い、前記ＬＣＤバックライトの輝度調整の前後で色温度が変化する場合に前記ＬＣＤバックライトのＲ光源、Ｇ光源、Ｂ光源のうち、少なくとも１つの光源について発光時間を個別に増減し色成分の増減を行う発光色成分増減部とを備えることを特徴とする携帯端末のＬＣＤ表示画面色調整システムを提供する。
【００１７】
さらに、本発明は、映像データを映像として表示するＬＣＤと前記ＬＣＤの白色光源であるＬＣＤバックライトとを有する携帯端末のＬＣＤ表示画面色調整方法において、Ｒ成分、Ｇ成分、Ｂ成分を有する映像データを受信し前記ＬＣＤに送信する工程と、受信される映像データのＲ成分、Ｇ成分、Ｂ成分に対して送信される映像データのＲ成分、Ｇ成分、Ｂ成分のうち、少なくとも１つの成分を増減する調整を行う工程と、増減した映像データのＲ成分、Ｇ成分、Ｂ成分の比率で、調整後に受信される映像データのＲ成分、Ｇ成分、Ｂ成分の増減を行う工程と、前記映像データのＲ成分、Ｇ成分、Ｂ成分の増減後にＲ光源、Ｇ光源、Ｂ光源からなり、同時に発光させて白色光を発色する前記ＬＣＤバックライトがＲ光源、Ｇ光源、Ｂ光源を間欠発光し、Ｒ光源、Ｇ光源、Ｂ光源の発光時間を同時に調整し前記ＬＣＤバックライトの輝度を調整する工程と、前記ＬＣＤバックライトの輝度の調整を行い、前記ＬＣＤバックライトの輝度調整の前後で色温度が変化する場合に前記ＬＣＤバックライトのＲ光源、Ｇ光源、Ｂ光源のうち、少なくとも１つの光源について発光時間を個別に増減し色成分の増減を行う工程とを備えることを特徴とする携帯端末のＬＣＤ表示画面色調整方法を提供する。
【発明の効果】
【００１８】
以上説明したように、本発明によれば、携帯端末のＬＣＤの発光色によってはユーザーの好みに合わなかったりしていたが、発光色を調整することにより、特に、ＬＣＤの輝度の調整前後で色温度の変化を防止したので、好みに合わないという不満が解消されるという効果を期待することができる。
また、携帯端末からインターネット経由で商品を購入する場合、実際の商品と携帯端末のＬＣＤに表示される商品の色が相違していれば、商品の到着後にトラブルが発生する場合があるので、例えば、購入する前にカラーチャートに従ってＬＣＤの発光色を調整すれば、発光色の相違がなくなり、上記のようなトラブルを未然に防止することが可能になる。
【００１９】
また、ＬＣＤに複数の画面が表示されている場合にも、画面に表示された色を相互に合わせることが可能になる。
また、カメラ付き携帯端末の場合、カメラモジュールを通して、ＬＣＤに表示される色を調整することにより、カメラモジュールにて撮影した画像と実際の色とが合わせられ、かつ背景画面との色が合わせられるようになった。これにより正確な色を相手に伝えることが可能になる。
【発明を実施するための最良の形態】
【００２０】
以下、本発明の実施の形態について図面を参照して説明する。
図１は本発明に係る携帯端末のＬＣＤ表示画面色調整システムにおける概略構成を示すブロック図である。
本図に示すように、携帯端末のＬＣＤ表示画面色調整システムは、Ｒ成分、Ｇ成分、Ｂ成分を有する映像データを映像として表示する携帯端末の透過型のＬＣＤ１３に対して、表示画面色の調整を行う。
【００２１】
携帯端末のＬＣＤ表示画面色調整システムにはグラフィックＬＳＩ１２が設けられる。グラフィックＬＳＩ１２は映像制御線１５を介して、Ｒ成分、Ｇ成分、Ｂ成分を有する映像データ、映像制御データを受信し、映像線１６を介してグラフィックＬＳＩ１２に映像データを送信する機能を有する。
さらに、グラフィックＬＳＩ１２には映像色成分増減部１２Ａが設けられ、映像色成分増減部１２ＡはグラフィックＬＳＩ１２に受信した映像制御データに従い、受信した映像データのＲ成分、Ｇ成分、Ｂ成分のうち、少なくとも１つの色成分の増減を行って、ＬＣＤ１３に送信すべき映像色成分を増減する動作を実行する機能を有する。
【００２２】
これにより、携帯端末のＬＣＤの発色がユーザーの好みに合わなかったりしていたが、色を調整することにより、好みに合わないという不満が解消されるという効果が期待される。
さらに、携帯端末のＬＣＤ表示画面色調整システムにはＬＣＤバックライト１４が設けられ、ＬＣＤバックライト１４は、ＬＣＤ１３の白色光源であり、Ｒ成分、Ｇ成分、Ｂ成分を独自に発光する３つの発光源、例えば、Ｒ、Ｇ、Ｂの発光ダイオード（ＬＥＤ）からなり、同時に発光することにより白色光を発色する機能を有する。
【００２３】
さらに、ＬＣＤバックライト１４には輝度調整部１４Ａ、発光色成分増減部１４Ｂが設けられる。輝度調整部１４ＡはＬＣＤバックライト１４の白色光の輝度を調整する機能を有し、発光色成分増減部１４Ｂは、ＬＣＤバックライト１４の３つ発光源のうち、少なくとも１つの色成分を増減する機能を有する。
これにより、ＬＣＤバックライト１４のＬＣＤの輝度を調整することが可能になり、前述のように、映像データの色を調整し、この時のＬＣＤバックライト１４の色温度と調整前の色温度が違う場合、ＬＣＤの輝度によってＬＣＤに表示された映像データの色合いが変化するが、ＬＣＤバックライト１４の３つ発光源の色成分を調整することにより、色温度の影響を防ぐことが可能になる。
【００２４】
さらに、携帯端末のＬＣＤ表示画面色調整システムには表示画面調整制御部１１が設けられ、表示画面調整制御部１１は、ＣＰＵ（中央演算装置）で構成され、映像制御線１５を介してグラフィックＬＳＩ１２に接続され、ＬＣＤバックライト制御線１７を介してＬＣＤバックライト１４に接続され、グラフィックＬＳＩ１２に対してＬＣＤ１３への映像の制御を行う上記の映像制御データを形成し、また、ＬＣＤバックライト１４に対して輝度調整の制御を行う機能を有する。
【００２５】
さらに、表示画面調整制御部１１はグラフィックＬＳＩ１２の映像色成分増減部１２Ａに対して、映像色成分を増減する制御を行う機能を有し、また、ＬＣＤバックライト１４の輝度調整部１４Ａに対して輝度の制御を行い、発光色成分増減部１４Ｂに対して発光色成分増減の制御を行う。
【実施例１】
【００２６】
以上の説明では、ＬＣＤ１３の全画面を前提にした。ＬＣＤ１３には複数の画面が表示される場合があるので、画面相互で表示される色が違う場合がある。この場合には、画面毎にグラフィックＬＳＩ１２の映像色成分増減部１２Ａで、映像データのＲ成分、Ｇ成分、Ｂ成分のうち、少なくとも１つの色成分の増減を行って、ＬＣＤ１３に送信すべき映像色成分を増減する動作を実行する。このようにして、複数の画面相互で表示される色の違いを無くした後に、ＬＣＤバックライト１４の輝度調整部１４Ａ、発光色成分増減部１４Ｂによる動作を行う。
このようにして、複数の画面に対しても本発明を適用することが可能になる。
【実施例２】
【００２７】
グラフィックＬＳＩ１２に受信する映像データに関し、一例として、Ｒ：Ｇ：Ｂ＝５：６：５の場合、より具体的には、Ｒ成分が５ビット、Ｇ成分が６ビット、Ｂ成分が５ビットとする。この場合、Ｒ成分では５ビット、Ｇ成分では６ビット、Ｂ成分では５ビット分の色の変化が可能である。
映像色成分増減部１２Ａでは、ある特定の映像において、赤色を弱くするためにはＲ成分の５ビットデータを小さくし、赤色を強くするためにＲ成分の５ビットデータを大きくする。
【００２８】
同様に、ある特定の映像において、緑色を弱くするためにはＧ成分の６ビットデータを小さくし、緑色を強くするためにＧ成分の６ビットデータを大きくする。
同様に、ある特定の映像において、青色を弱くするためにはＢ成分の５ビットデータを小さくし、青色を強くするためにＢ成分の５ビットデータを大きくする。
次に、Ｒ成分の５ビット、Ｇ成分の６ビット、Ｂ成分の５ビットはいつも固定ではないので、以下のように、調整した値を反映させる必要がある。
【００２９】
図２は図１におけるグラフィックＬＳＩ１２の映像色成分増減部１２Ａにより映像データの色成分を減少させる動作例を説明する図である。
本図（ａ）に示すように、映像色成分増減部１２ＡによるＲ成分の減少調整前では、グラフィックＬＳＩ１２に受信するＲ成分の５ビットデータをａ１とすると、グラフィックＬＳＩ１２が送信するＲ成分の５ビットデータもａ１となる。
【００３０】
映像色成分増減部１２ＡによりＲ成分を減少する調整では、グラフィックＬＳＩ１２に受信するＲ成分の５ビットデータをａ１とすると、グラフィックＬＳＩ１２が送信するＲ成分の５ビットデータはｂ１（＜ａ１）となる。
映像色成分増減部１２ＡによりＲ成分を減少した調整後では、比率ｂ１／ａ１を用いて、グラフィックＬＳＩ１２に受信するＲ成分の５ビットデータをａ１’とすると、グラフィックＬＳＩ１２が送信するＲ成分の５ビットデータがｂ１’（＝ａ１’×ｂ１／ａ１）となるように映像色成分増減部１２Ａにより算出が行われる。
【００３１】
同様に、  本図（ｂ）に示すように、映像色成分増減部１２ＡによるＧ成分の減少調整前では、グラフィックＬＳＩ１２に受信するＲ成分の５ビットデータをａ２とすると、グラフィックＬＳＩ１２が送信するＧ成分の６ビットデータもａ２となる。
映像色成分増減部１２ＡによりＧ成分を減少する調整では、グラフィックＬＳＩ１２に受信するＧ成分の６ビットデータをａ２とすると、グラフィックＬＳＩ１２が送信するＲ成分の５ビットデータはｂ２（＜ａ２）となる。
【００３２】
映像色成分増減部１２ＡによりＧ成分を減少した調整後では、比率ｂ２／ａ２を用いて、グラフィックＬＳＩ１２に受信するＧ成分の６ビットデータをａ２’とすると、グラフィックＬＳＩ１２が送信するＲ成分の６ビットデータがｂ２’（＝ａ２’×ｂ２／ａ２）となるように映像色成分増減部１２Ａにより算出が行われる。
同様に、本図（ｃ）に示すように、映像色成分増減部１２ＡによるＢ成分の減少調整前では、グラフィックＬＳＩ１２に受信するＢ成分の５ビットデータをａ３とすると、グラフィックＬＳＩ１２が送信するＲ成分の５ビットデータもａ３となる。
【００３３】
映像色成分増減部１２ＡによりＢ成分を減少する調整では、グラフィックＬＳＩ１２に受信するＢ成分の５ビットデータをａ３とすると、グラフィックＬＳＩ１２が送信するＲ成分の５ビットデータはｂ３（＜ａ３）となる。
映像色成分増減部１２ＡによりＢ成分を減少した調整後では、比率ｂ３／ａ３を用いて、グラフィックＬＳＩ１２に受信するＲ成分の５ビットデータをａ３’とすると、グラフィックＬＳＩ１２が送信するＲ成分の５ビットデータがｂ３’（＝ａ３’×ｂ３／ａ３）となるように映像色成分増減部１２Ａにより算出が行われる。
【００３４】
このようにして、グラフィックＬＳＩ１２では、受信した映像データに対し色成分の減少の調整結果に相応した送信を行うことができる。
図３は図１におけるグラフィックＬＳＩ１２の映像色成分増減部１２Ａにより映像データの色成分を増加させる動作例を説明する図である。
本図（ａ）に示すように、映像色成分増減部１２ＡによるＲ成分の増加調整前では、グラフィックＬＳＩ１２に受信するＲ成分の５ビットデータをａ１とすると、グラフィックＬＳＩ１２が送信するＲ成分の５ビットデータもａ１となる。
【００３５】
映像色成分増減部１２ＡによりＲ成分を増加する調整では、グラフィックＬＳＩ１２に受信するＲ成分の５ビットデータをａ１とすると、グラフィックＬＳＩ１２が送信するＲ成分の５ビットデータはｂ１（＞ａ１）となる。
映像色成分増減部１２ＡによりＲ成分を増加した調整後では、比率ｂ１／ａ１を用いて、グラフィックＬＳＩ１２に受信するＲ成分の５ビットデータをａ１’とすると、グラフィックＬＳＩ１２が送信するＲ成分の５ビットデータがｂ１’（＝ａ１’×ｂ１／ａ１）となるように映像色成分増減部１２Ａにより算出が行われる。
【００３６】
同様に、  本図（ｂ）に示すように、映像色成分増減部１２ＡによるＧ成分の増加調整前では、グラフィックＬＳＩ１２に受信するＲ成分の５ビットデータをａ２とすると、グラフィックＬＳＩ１２が送信するＧ成分の６ビットデータもａ２となる。
映像色成分増減部１２ＡによりＧ成分を増加する調整では、グラフィックＬＳＩ１２に受信するＧ成分の６ビットデータをａ２とすると、グラフィックＬＳＩ１２が送信するＲ成分の５ビットデータはｂ２（＞ａ２）となる。
【００３７】
映像色成分増減部１２ＡによりＧ成分を増加した調整後では、比率ｂ２／ａ２を用いて、グラフィックＬＳＩ１２に受信するＧ成分の６ビットデータをａ２’とすると、グラフィックＬＳＩ１２が送信するＲ成分の６ビットデータがｂ２’（＝ａ２’×ｂ２／ａ２）となるように映像色成分増減部１２Ａにより算出が行われる。
同様に、本図（ｃ）に示すように、映像色成分増減部１２ＡによるＢ成分の増加調整前では、グラフィックＬＳＩ１２に受信するＢ成分の５ビットデータをａ３とすると、グラフィックＬＳＩ１２が送信するＲ成分の５ビットデータもａ３となる。
【００３８】
映像色成分増減部１２ＡによりＢ成分を増加する調整では、グラフィックＬＳＩ１２に受信するＢ成分の５ビットデータをａ３とすると、グラフィックＬＳＩ１２が送信するＲ成分の５ビットデータはｂ３（＞ａ３）となる。
映像色成分増減部１２ＡによりＢ成分を増加した調整後では、比率ｂ３／ａ３を用いて、グラフィックＬＳＩ１２に受信するＲ成分の５ビットデータをａ３’とすると、グラフィックＬＳＩ１２が送信するＲ成分の５ビットデータがｂ３’（＝ａ３’×ｂ３／ａ３）となるように映像色成分増減部１２Ａにより算出が行われる。
【００３９】
このようにして、グラフィックＬＳＩ１２では、受信した映像データに対し色成分の増加の調整結果に相応した送信を行うことができる。
【実施例３】
【００４０】
図１におけるＬＣＤバックライト１４は常時発光又は間欠発光のいずれでもよい。ＬＣＤバックライト１４が間欠の発光を行っているとして、輝度調整部１４Ａ、発光色成分増減部１４Ｂの説明を以下に行う。
図４は図１におけるＬＣＤバックライト１４の輝度調整部１４Ａによる輝度を増加させる場合の発光色成分増減部１４Ｂによる動作例を説明する図である。
【００４１】
本図（ａ）に示すように、例えば、携帯端末が建物の中にある場合、携帯端末が建物外にあり、昼間で空が曇っている、雨が降っている場合等には、ＬＣＤバックライト１４のＲの発光源、Ｇの発光源、Ｂの発光源の各輝度が１００％になっている。
本図（ｂ）に示すように、例えば、建物外にあり、昼まで空が晴れている場合等には、輝度調整部１４ＡによりＬＣＤバックライト１４のＲの発光源、Ｇの発光源、Ｂの発光源の発光時間（デューティ比）を同時に長くし各輝度が１１０％になっている。太陽光の反射により携帯端末の画面が見にくくなっているので、ＬＣＤバックライト１４の輝度を増加して太陽光の発射の影響を防ぐためである。
【００４２】
このように、輝度調整部１４Ａにより、ＬＣＤバックライト１４の輝度を増加すると、輝度１００％、１１０％では、ＬＣＤバックライト１４が白色を発光するが、色温度が変化して、例えば、Ｂ成分が弱くなり又は強くなる場合がある。
Ｂ成分が弱くなる場合には、本図（ｃ）に示すように、ＬＣＤバックライト１４のＢの発光源について発光時間（デューティ比）を個別に長くし、輝度を例えば１１０％から１１５％に増加させる。
【００４３】
Ｂ成分が強くなる場合には、本図（ｄ）に示すように、ＬＣＤバックライト１４のＢの発光源について発光時間（デューティ比）を個別に短くし輝度を例えば１１０％から９５％に減少させる。
これにより、ＬＣＤバックライト１４色温度の影響を除去することが可能になる。
図５は図１におけるＬＣＤバックライト１４の輝度調整部１４Ａによる輝度を減少させる場合の発光色成分増減部１４Ｂによる動作例を説明する図である。
【００４４】
本図（ａ）に示すように、例えば、携帯端末が建物の中にある場合、携帯端末が建物外にあり、昼間で空が曇っている、雨が降っている場合等には、ＬＣＤバックライト１４のＲの発光源、Ｇの発光源、Ｂの発光源の各輝度が１００％になっている。
本図（ｂ）に示すように、例えば、建物の中で照明が暗い場合、建物の外で夜で周囲が暗い場合等には、輝度調整部１４ＡによりＬＣＤバックライト１４のＲの発光源、Ｇの発光源、Ｂの発光源の発光時間（デューティ比）を同時に短くし各輝度が９０％になっている。ＬＣＤバックライト１４の発光時間を短くし輝度を減少させて携帯端末の電池の消耗を防ぐためである。
【００４５】
このように、輝度調整部１４Ａにより、ＬＣＤバックライト１４の発光時間を短くし輝度を減少すると、輝度１００％、９０％では、ＬＣＤバックライト１４が白色を発光するが、色温度が変化して、例えば、Ｂ成分が弱くなり又は強くなる場合がある。
Ｂ成分が弱くなる場合には、本図（ｃ）に示すように、ＬＣＤバックライト１４のＢの発光源について発光時間（デューティ比）を個別に長くし輝度を例えば９０％から９５％に増加させる。
【００４６】
Ｂ成分が強くなる場合には、本図（ｄ）に示すように、ＬＣＤバックライト１４のＢの発光源について発光時間（デューティ比）を個別に短くし輝度を例えば９０％から８５％に減少させる。
これにより、ＬＣＤバックライト１４色温度の影響を除去することが可能になる。
【実施例４】
【００４７】
図６は図１における表示画面調整制御部１１の動作例を説明するフローチャートである。
ステップＳ２１において、表示画面調整制御部（ＣＰＵ）１１は映像制御線１５を介して映像データ及び映像制御データをグラフィックＬＳＩ１２に送信する。
ステップＳ２２において、表示画面調整制御部１１の制御により、グラフィックＬＳＩ１２の映像色成分増減部１２Ａは受信した映像データを映像制御データに従って、色のＲ成分、Ｇ成分、Ｂ成分をそれぞれ増減する。
【００４８】
ステップＳ２３において、表示画面調整制御部１１の制御により、グラフィックＬＳＩ１２は映像線１６を介して増減された映像データをＬＣＤ１３に送信する。
ステップＳ２４において、表示画面調整制御部１１の制御により、ＬＣＤ１３は増減し、合成された映像データを表示する。
ステップＳ２５において、表示画面調整制御部（ＣＰＵ）１１はＬＣＤバックライト制御線１７を介して、輝度調整データ、色成分増減データをＬＣＤバックライト１４に送信する。
【００４９】
ステップＳ２６において、表示画面調整制御部１１の制御により、ＬＣＤバックライト１４は輝度調整部１４Ａ、発光色成分増減部１４Ｂにより輝度調整データ、色成分増減データに基づき任意の色に発光する。
ステップＳ２７において、表示画面調整制御部１１の制御により、ＬＣＤ１３がＬＣＤバックライト１４の発光色の影響を受けてＬＣＤ１３の表示色が変化する。
以上の説明により、本発明によれば、携帯端末のＬＣＤの発光色によってはユーザーの好みに合わなかったりしていたが、発光色を調整することにより、特に、ＬＣＤの輝度の調整前後で色温度の変化を防止したので、好みに合わないという不満が解消されるという効果を期待することができる。
【００５０】
また、携帯端末からインターネット経由で商品を購入する場合、実際の商品と携帯端末のＬＣＤに表示される商品の色が相違していれば、商品の到着後にトラブルが発生する場合があるので、例えば、購入する前にカラーチャートに従ってＬＣＤの発光色を調整すれば、発光色の相違がなくなり、上記のようなトラブルを未然に防止することが可能になる。
【実施例５】
【００５１】
図７は図１における変形例の概略構成を示すブロック図である。携帯端末にカメラモジュール１８が搭載され、本図に示すように、図と比較して、グラフィックＬＳＩ１２に映像線１９を介してカメラモジュール１８が接続され、カメラモジュール１８は風景、人物を含み、Ｒ成分、Ｇ成分、Ｂ成分を有する映像データを取り込み、取り込んだ映像をグラフィックＬＳＩ１２で扱うことができる映像データに変換し、映像線１９を介して映像データをグラフィックＬＳＩ１２に送信する機能を有する。
【００５２】
グラフィックＬＳＩ１２には表示画面調整制御部１１、カメラモジュール１８からの映像データを合成し、映像線１６を介して合成した映像データをＬＣＤ１３に送信する機能が追加される。
このようにして、カメラモジュール１８からの映像と背景画面を合成した映像データに対して、映像色成分増減部１２Ａ、輝度調整部１４Ａ、発光色成分増減部１４Ｂによる処理が、以下のように、行われる。
【実施例６】
【００５３】
図８は図７における表示画面調整制御部１１の動作例を説明するフローチャートである。
本図に示すように、ステップＳ３１において、表示画面調整制御部１１は映像制御線１５を介して映像データ及び映像制御データをグラフィックＬＳＩ１２に送信する。
ステップＳ３２において、カメラモジュール１８は取り込んだ映像をグラフィックＬＳＩ１２で扱うことができる映像データに変換し映像線１９を介して映像データをグラフィックＬＳＩ１２の送信する。
【００５４】
ステップＳ３３において、グラフィックＬＳＩ１２の映像色成分増減部１２Ａは受信した表示画面調整制御部１１及びカメラモジュール１８からの映像データを表示画面調整制御部１１からの映像制御データに従い、それぞれ色のＲ成分、Ｇ成分、Ｂ成分を増減する。これにより、受信した表示画面調整制御部１１及びカメラモジュール１８からの映像データについて表示される色の違いが無くなり、実際の色との違いが無くなる。
【００５５】
ステップＳ３４において、表示画面調整制御部１１の制御により、グラフィックＬＳＩ１２はそれぞれ増減された表示画面調整制御部１１及びカメラモジュール１８からの映像データを合成する。
ステップＳ３５により、表示画面調整制御部１１の制御により、グラフィックＬＳＩ１２は映像線１６を介して増減しさらに合成した映像データをＬＣＤ１３に送信する。
【００５６】
ステップＳ３６において、表示画面調整制御部１１の制御により、ＬＣＤ１３は増減し、合成された映像データを表示する。
ステップＳ３７において、表示画面調整制御部１１の制御により、表示画面調整制御部１１はＬＣＤバックライト制御線１７を介して輝度調整データ、色成分増減データをＬＣＤ１３に送信する。
【００５７】
ステップＳ３８において、表示画面調整制御部１１の制御により、ＬＣＤバックライト１４は輝度調整部１４Ａ、発光色成分増減部１４Ｂにより輝度調整データ、色成分増減データに基づき任意の色に発光する。
ステップＳ３９において、表示画面調整制御部１１の制御により、ＬＣＤ１３がＬＣＤバックライト１４の発光色の影響を受けてＬＣＤ１３の表示色が変化する。
このようにして、カメラ付き携帯端末の場合、カメラモジュール１８を通して、ＬＣＤ１３に表示される色を調整することにより、カメラモジュール１８にて撮影した画像と実際の色とを合わせられるようになった。これにより正確な色を相手に伝えることができるという効果が期待される。
【産業上の利用可能性】
【００５８】
本発明は持ち運び可能なノート型パーソナルコンピュータにも利用可能である。
【図面の簡単な説明】
【００５９】
【図１】本発明に係る携帯端末のＬＣＤ表示画面色調整システムにおける概略構成を示すブロック図である。
【図２】図１におけるグラフィックＬＳＩ１２の映像色成分増減部１２Ａにより映像データの色成分を減少させる動作例を説明する図である。
【図３】図１におけるグラフィックＬＳＩ１２の映像色成分増減部１２Ａにより映像データの色成分を増加させる動作例を説明する図である。
【図４】図１におけるＬＣＤバックライト１４の輝度調整部１４Ａによる輝度を増加させる場合の発光色成分増減部１４Ｂによる動作例を説明する図である。
【図５】図１におけるＬＣＤバックライト１４の輝度調整部１４Ａによる輝度を減少させる場合の発光色成分増減部１４Ｂによる動作例を説明する図である。
【図６】図１における表示画面調整制御部１１の動作例を説明するフローチャートである。
【図７】図１における変形例の概略構成を示すブロック図である。
【図８】図７における表示画面調整制御部１１の動作例を説明するフローチャートである。
【符号の説明】
【００６０】
１１…表示画面調整制御部
１２…グラフィックＬＳＩ
１２Ａ…映像色成分増減部
１３…ＬＣＤ
１４…ＬＣＤバックライト
１４Ａ…輝度調整部
１４Ｂ…発光色成分増減部
１５…映像制御線
１６、１９…映像線
１７…ＬＣＤバックライト制御線
１８…カメラモジュール
【図１】
2005115021.tif 000003
【図２】
2005115021.tif 000004
【図３】
2005115021.tif 000005
【図４】
2005115021.tif 000006
【図５】
2005115021.tif 000007
【図６】
2005115021.tif 000008
【図７】
2005115021.tif 000009
【図８】
2005115021.tif 000010